(57)【要約】      （修正有）【課題】ノイズを低減し、さらに高温誤放電及び低温誤放電を防止するプラズマディスプレイ装置及びその駆動方法の提供。【解決手段】１つのサブフィールドのアドレス期間ですべてのアドレス電極Ｘ１〜Ｘｎに印加されるデータ信号印加時点は、対応するか又は選択された走査電極に印加される走査信号の印加時点と異なり、この時、リセット期間のセットダウン期間中に維持電極とアドレス電極に印加される信号の電圧をアースレベルＧＮＤに設定する。このように、走査電極に印加される走査信号の印加時点とアドレス電極Ｘ１〜Ｘｎに印加されるデータ信号の印加時点を異ならせながら、リセット期間のセットダウン期間中に維持電極の信号電圧をアースレベルＧＮＤに維持すると、走査電極に印加される信号と維持電極に印加される信号の間のカップリングによって発生する走査電極に印加される波形の変化を防止することができる。【選択図】図９
2006146231.tif 000002
【特許請求の範囲】
【請求項１】
第１方向に延びる複数の走査電極と、
前記第１方向に延びる複数の維持電極と、
前記第１方向と略直交する第２方向に延びる複数のアドレス電極と、
各セルが対応する走査電極、維持電極、及びアドレス電極を含む複数のセルと、
前記複数の走査電極を駆動するように構成された第１駆動回路と、
前記複数の維持電極を駆動するように構成された第２駆動回路と、
前記複数のアドレス電極を駆動するように構成された第３駆動回路と、を備え、
複数のサブフィールドがグレースケールを提供するために用いられ、少なくとも１つのサブフィールドのアドレス期間中に、走査波形が前記第１駆動回路によって少なくとも１つの走査電極に提供され、前記走査波形を受信する少なくとも１つのセルを選択するためのアドレス波形が前記第３駆動回路によって少なくとも１つのアドレス電極に提供され、
前記アドレス波形の開始は前記走査波形の開始とオフセットされていることを特徴とするプラズマディスプレイ装置。
【請求項２】
少なくとも１つのサブフィールドが、リセット期間に先行する予備リセット期間を含むことを特徴とする請求項１記載のプラズマディスプレイ装置。
【請求項３】
前記予備リセット期間は、前記複数のサブフィールドのうち一番目のサブフィールドにだけ提供されることを特徴とする請求項２記載のプラズマディスプレイ装置。
【請求項４】
前記アドレス波形の開始は、前記走査波形の開始より先行して提供されることを特徴とする請求項１または請求項１記載のプラズマディスプレイ装置。
【請求項５】
前記アドレス波形の開始は、前記走査波形の開始後に提供されることを特徴とする請求項１または請求項１記載のプラズマディスプレイ装置。
【請求項６】
前記少なくとも１つの走査電極に対応する行で、対応するセルを選択するための複数のアドレス波形の開始は、前記走査波形の開始とオフセットされていることを特徴とする請求項１記載のプラズマディスプレイ装置。
【請求項７】
前記オフセットは、所定の時間の期間Δtに基づくことを特徴とする請求項６記載のプラズマディスプレイ装置。
【請求項８】
前記複数のアドレス波形のそれぞれの開始は、互いにΔt分オフセットされていることを特徴とする請求項７記載のプラズマディスプレイ装置。
【請求項９】
前記複数のアドレス波形の第１群は、前記走査波形の開始より先行して提供されることを特徴とする請求項８記載のプラズマディスプレイ装置。
【請求項１０】
前記複数のアドレス波形の第２群は、前記走査波形の開始後に提供されることを特徴とする請求項８記載のプラズマディスプレイ装置。
【請求項１１】
前記複数のアドレス波形の第１群は、前記走査波形の開始に先行して提供され、前記複数のアドレス波形の第２群は、前記走査波形の開始後に提供されることを特徴とする請求項８記載のプラズマディスプレイ装置。
【請求項１２】
前記第１群及び第２群は、同じ数のアドレス電極を備えることを特徴とする請求項１１記載のプラズマディスプレイ装置。
【請求項１３】
前記所定の時間の期間Δtは、１０ｎｓ以上１０００ｎｓ以下であることを特徴とする請求項７記載のプラズマディスプレイ装置。
【請求項１４】
前記所定の時間の期間Δtは、前記走査波形の幅の１／１００倍以上、前記走査波形の幅の１倍以下の範囲にあることを特徴とする請求項７記載のプラズマディスプレイ装置。
【請求項１５】
前記複数のアドレス電極は、複数の群に分けられて、少なくとも１つの群に対するアドレス波形の開始は前記走査波形の開始とオフセットされていることを特徴とする請求項１記載のプラズマディスプレイ装置。
【請求項１６】
各群には同じ数のアドレス電極があることを特徴とする請求項１５記載のプラズマディスプレイ装置。
【請求項１７】
前記少なくとも１つの群のアドレス波形の開始は、前記走査波形の開始に先行して提供されることを特徴とする請求項１５記載のプラズマディスプレイ装置。
【請求項１８】
少なくとも１つの他の群のアドレス波形の開始は、前記走査波形の開始後に提供されることを特徴とする請求項１７記載のプラズマディスプレイ装置。
【請求項１９】
前記少なくとも１つの群のアドレス波形の開始は前記走査波形の開始後に提供されることを特徴とする請求項１５記載のプラズマディスプレイ装置。
【請求項２０】
各群のアドレス波形の開始は、所定の時間の期間Δt分互いにオフセットされていることを特徴とする請求項１５記載のプラズマディスプレイ装置。
【請求項２１】
前記所定の時間の期間Δtは、１０ｎｓ以上１０００ｎｓ以下であることを特徴とする請求項２０記載のプラズマディスプレイ装置。
【請求項２２】
前記所定の時間の期間Δtは、前記走査波形の幅の１／１００倍以上、前記走査波形の幅の１倍以下の範囲にあることを特徴とする請求項２０記載のプラズマディスプレイ装置。
【請求項２３】
前記少なくとも１つのサブフィールドにおいて、リセット期間のセットダウン期間中に、前記維持電極は、接地電位または０電圧に維持される請求項１記載のプラズマディスプレイパネル。
【請求項２４】
行方向に複数の走査電極と維持電極を備え、列方向に複数のアドレス電極を備えて、マトリックス配列で複数のセルが形成されているプラズマディスプレイパネルを駆動する方法において、
サブフィールドのアドレス期間中に走査信号を、対応する走査電極に提供する段階と、
前記アドレス期間中に、前記走査信号を受信するセルを選択するために、少なくとも１つのアドレス信号を提供する段階として、前記少なくとも１つのアドレス信号の開始は、  前記走査信号の開始とオフセットされている、少なくとも１つのアドレス信号を提供する段階と、を含むことを特徴とするプラズマディスプレイパネルを駆動する方法。
【発明の詳細な説明】
【技術分野】
【０００１】
本発明は、プラズマ装置に係り、特に、プラズマディスプレイ装置及びこの装置を駆動する方法に関する。
【背景技術】
【０００２】
一般に、プラズマディスプレイパネルは、単位セルから成り、各単位セルは前面基板、後面基板、及びこれら基板の間に形成された障壁リブまたは隔壁を含む。各セルには、ネオン（Ｎｅ）、ヘリウム（Ｈｅ）またはネオン及びヘリウムの混合ガス（Ｎｅ＋Ｈｅ）のような主放電ガスと少量のキセノン（Ｘｅ）を含む不活性ガスが充填されている。無線周波数電圧によって放電の起きる時、この不活性ガスは真空紫外線（Vacuum Ultravioletrays）を発生して障壁リブの間に形成された蛍光体を発光させて画像をディスプレイする。このようなプラズマディスプレイパネルは薄くて軽い。
【０００３】
図１は、プラズマディスプレイパネルで用いられる画像階調を処理する方法を示す図面である。画像の階調（Gray Level）によって、フレームは発光回数が互いに異なる複数のサブフィールド（subfield）に分割される。各サブフィールドは、すべてのセルを初期化（リセット）させるためのリセット期間ＲＰＤ、放電するセルを選択するためのアドレス期間ＡＰＤ及び、放電回数によって階調を具現するための維持期間ＳＰＤから成る。例えば、２５６個の階調で画像が表示される場合、１／６０秒にあたるフレーム期間（１６.６７ｍｓ）は８個のサブフィールド（ＳＦ１ないしＳＦ８）で分けられ、８個のサブフィールド（ＳＦ１ないしＳＦ８）のそれぞれは、リセット期間、アドレス期間及び維持期間にまた分けられる。
【０００４】
リセット期間及びアドレス期間は、各サブフィールドごとに均一に設定される。放電するセルを選択するためのアドレス放電は、アドレス電極と走査電極の間の電位差によって行われる。各サブフィールドにある維持期間は２ｎ（ｎ=０、１、２、３、４、５、６、７）の割合で増加する。このように、各サブフィールドで維持期間が変わるため、画像を階調によって表現するためには、各サブフィールドの維持期間、すなわち維持放電回数を調節する。
【０００５】
図２は、プラズマディスプレイパネルに関する駆動波形を示す図である。プラズマディスプレイパネルの動作は、各サブフィールドで４つの期間、すなわち、すべてのセルを初期化させるためのリセット期間、放電するセルを選択するためのアドレス期間、選択されたセルの放電を維持させるための維持期間、及び放電したセル内に形成された壁電荷（wall charge）を消去するための消去期間を使って遂行される。
【０００６】
リセット期間のセットアップ期間では、すべての走査電極に立ち上がりランプ波形（Ramp−up）が同時に印加される。この立ち上がりランプ波形（Ramp−up）によって放電セル内には弱い暗放電（Dark Discharge）が起きる。このセットアップ放電によってアドレス電極と維持電極には正極性（例えば、正電圧）を持つ壁電荷が積もるようになり、走査電極には負極性（例えば、負電圧）の壁電荷が積もるようになる。
【０００７】
リセット期間のセットダウン期間には、立ち上がりランプ波形（Ramp−up）のピーク電圧より低い正電圧から、望ましくはアースＧＮＤ電圧レベルより低い特定電圧レベルまで下降する立ち下がりランプ波形（Ramp−down）が、セル内に微弱な消去放電を起こすことで、走査電極に過度に形成された壁電荷を消去させる。このセットダウン放電によって、アドレス放電が安定して起きることができるように必要な壁電荷がセル内に均一に残留される。
【０００８】
アドレス期間には、負極性の走査信号が走査電極に順次に印加されると同時に、走査信号に同期されてアドレス電極に正極性のデータ信号が印加される。この走査信号とデータ信号の間の電位差はリセット期間中に生成された壁電圧に加わて、データ信号が印加される放電セル内にアドレス放電が発生される。アドレス放電によって選択されたセル内には、維持電圧Ｖｓが維持期間中に提供される時、放電が起きるようにする位の壁電荷が形成される。一方、維持電極Ｚにはセットダウン期間とアドレス期間中に、走査電極との電位差を減らして、走査電極との誤放電が起きないようにするために、正極性の電圧Ｖｚが供給される。
【０００９】
維持期間には、走査電極と維持電極に交番的に維持信号Ｓｕｓが印加される。アドレス放電によって選択されたセル内の壁電圧は、維持信号に加わって毎維持信号が走査電極Ｙや維持電極Ｚに印加される度に、この走査電極と維持電極の間に維持放電、すなわち、ディスプレイ放電が起きるようになる。維持放電が完了した後、信号幅が狭くて電圧レベルが低い消去ランプ波形（Ramp−ers）の電圧が維持電極に供給されて、セル内に残る壁電荷を消去させる。
【００１０】
前述された駆動波形によって駆動されるプラズマディスプレイパネルの場合、アドレス期間で対応する走査電極に印加される走査信号と、アドレス電極Ｘ1〜Ｘｎに印加されるデータ信号の印加時点は同じである。図３は、このアドレス期間で、該当の選択された走査電極Ｙｍとアドレス電極Ｘ1〜Ｘｎに印加される走査信号とデータ信号の印加時点を示す図面である。
【００１１】
図３に示すように、アドレス期間でプラズマディスプレイ装置の行で対応するセルを選択するために選択された走査電極に走査信号が印加されると同時に（すなわち、ｔｓで）、その対応するデータ信号がアドレス電極Ｘ1〜Ｘｎに印加される。このように、対応するデータ信号と走査信号がそれぞれアドレス電極Ｘ1〜Ｘｎと走査電極に同時に印加されると、走査電極に印加される波形と維持電極に印加される波形にノイズ（noise）が発生するようになる。図４は、アドレス期間中に、データ信号と走査信号がそれぞれアドレス電極Ｘ1〜Ｘｎと走査電極に同時に印加される場合に発生される問題を説明する図面である。
【００１２】
データ信号と走査信号がそれぞれアドレス電極Ｘ1〜Ｘｎと走査電極に同時に印加されると、走査電極と維持電極に印加される波形にノイズが発生する。一般的に、このようなノイズはパネルの静電容量（Capacitance）を通じてカップリング（Coupling）によって発生される。データ信号が急上昇する時には、走査電極と維持電極に印加される波形に立ち上がりノイズが発生される。これと同じくデータ信号が急下降する時には、走査電極と維持  電極に印加される波形に立ち下がりノイズが発生される。このようなノイズは、アドレス期間で起きるアドレス放電を不安定にさせて、プラズマディスプレイパネルの駆動效率を低減させる。
【００１３】
一般的に、このような駆動波形は、たびたびパネルの温度が高温または低温である時に誤放電を発生させる。ここで、パネル周辺の温度が高温の場合に発生する誤放電を高温誤放電、パネル周辺の温度が低温の場合に発生する誤放電を低温誤放電と言う。
【００１４】
図５は、この駆動波形によって駆動されるプラズマディスプレイパネルでの高温誤放電を説明するための図面である。このパネル周辺の温度が相対的に高い高温の場合には、放電セル内の空間電荷７０１と壁電荷７００の間の再結合の割合，または再組合の割合が増加する。空間電荷７０１は，放電セル内の空間に存在する電荷であり、壁電荷７００とは違って空間電荷７０１は放電に寄与しない。その結果、放電に寄与する壁電荷の絶対量が減少して誤放電が発生する。
【００１５】
例えば、アドレス期間で、空間電荷７０１と壁電荷７００の再結合の割合が増加すると、アドレス放電に寄与する壁電荷７００の量が減少してアドレス放電を不安定にさせる。このような場合には、アドレシングの順番が後方になるほど、空間電荷７０１と壁電荷７００が再結合することができる時間が充分に確保されるため、アドレス放電がより不安定になる。これによって、アドレス期間でターンオン（turn on）になった放電セルが維持期間でターンオフ（turn off）になることがある（すなわち、高温誤放電が発生する）。
【００１６】
また、パネル周辺の温度が相対的に高く、維持放電が維持期間に起きる場合には、放電の間に空間電荷７０１の速度が速くなり、これによって空間電荷７０１と壁電荷７００の再結合の割合が増加する。これによって、ある１つの維持放電以後に、空間電荷７０１と壁電荷７００の間の再結合、または再組合によって維持放電に寄与する壁電荷７００の量が減少する。結果的に、その次の維持放電が発生しないこともある（すなわち、高温誤放電が発生する）。
【００１７】
図６は、この駆動波形によって惹起される低温誤放電を説明するための図である。パネル周辺の温度が相対的に低い場合、放電セル内に供給される熱エネルギーは減少される。したがって、中性原子と衝突して他の電子を発生させるシード電子（Seed Electron）の絶対量が減少することによって誤放電が発生する。プラズマ放電のメカニズム（Mechanism）によって、放電セル内で所定のエネルギー、例えば熱エネルギーが所定のシード電子に加えられる。そうすると、このエネルギーによってシード電子は加速されて中性原子と衝突する。このように衝突された中性原子は電子を放出して、放出された電子はさらに他の中性原子に衝突して、さらに他の電子を発生させる。この方法でプラズマ放電が発生する。
【００１８】
しかし、このようなプラズマ放電が発生するプラズマディスプレイパネルの周辺の温度が相対的に低い場合には、シード電子に加えられる熱エネルギーの量は減少する。これによって、プラズマ放電メカニズムが円滑に作動しないことがある。すなわち、プラズマ放電メカニズムが鈍化されて誤放電が発生する。例えば、アドレス期間で熱エネルギーの低下によってアドレス放電が発生しない場合が発生する。これによって、維持期間でターンオン（On）にならなければならない放電セルが、たびたびターンオフ（Off）になる（すなわち、低温誤放電が発生する）。
【発明の開示】
【発明が解決しようとする課題】
【００１９】
本発明は、かかる従来の技術の問題点及び短所を解決するためのもので、その目的は、ノイズを低減することにある。
【００２０】
また、本発明の他の目的は高温誤放電を防止することである。
【００２１】
また、本発明のまた他の目的は低温誤放電を防止することである。
【課題を解決するための手段】
【００２２】
本発明は、リセット期間のセットダウン期間中に維持電極をアースさせる段階と、アドレス期間中に走査電極に走査信号を印加する段階と、走査信号に応答して各電極群が少なくとも１つのアドレス電極を含む複数のアドレス電極群のうち少なくとも１つのアドレス電極群にデータ信号を、前記走査電極に走査信号を印加する時点と異なる時点で、印加する段階と、を含むプラズマディスプレイ装置の駆動方法によって全部または部分的に達成されることができる。
【００２３】
本発明は、リセット期間のセットダウン期間中に維持電極をアースさせる段階と、アドレス期間に走査電極に走査信号を印加する段階と、アドレス電極を複数の電極群に分割する段階と、データ電極を少なくとも１つの電極群にデータ信号を、他の電極群に印加する時点とは異なる時点で印加する段階と、を含むプラズマディスプレイ装置の駆動方法によって全部または部分的に達成されることができる。
【００２４】
本発明の実施例によって、アドレス期間に走査電極に印加される走査信号と、アドレス電極に印加されるデータ信号の印加時点を調節して、走査電極及び維持電極に印加される波形のノイズを減少させることが可能である。その結果、アドレス放電が安定的に発生することと、パネルの駆動效率が向上することができる。
【００２５】
また、本発明はリセット期間以前に、放電セル内に壁電荷を蓄積するための予備リセット期間を提供して、高温誤放電／低温誤放電を防止するために有利に用いられることができる。
【００２６】
本発明は、走査電極、維持電極、前記走査電極と維持電極と交差するアドレス電極を備えるプラズマディスプレイ装置であって、この装置は、アドレス期間に走査電極に走査信号を印加するための走査ドライバーと、リセット期間のセットダウン期間中に維持電極をアースさせるための維持ドライバーと、前記走査信号に回答して前記走査電極に走査信号を印加する時点とは異なる時点で、各電極群が少なくとも１つのアドレス電極を含む複数のアドレス電極群の中の１つに、データ信号を印加するためのデータドライバーと、を含むプラズマディスプレイ装置によって全部または部分的に達成されることができる。
【００２７】
望ましくは、放電セル内に壁電荷を累積するための予備リセット期間は、リセット期間以前に提供される。
【００２８】
例示的な実施例で、データ信号は走査電極に走査信号を印加する時点より先行して複数のアドレス電極群のうち少なくとも１つに印加される。
【００２９】
例示的な実施例で、データ信号は走査電極に走査信号を印加する時点より遅く複数のアドレス電極群のうち少なくとも１つに印加される。
【００３０】
例示的な実施例で、複数のアドレス電極群それぞれは同じ数のアドレス電極を含む。
【００３１】
例示的な実施例で、複数のアドレス電極群のうち少なくとも１つは他のアドレス電極群とは異なる個数のアドレス電極を備える。
【００３２】
例示的な実施例で、同じアドレス電極群にある各アドレス電極は同じ時点でデータ信号を受信する。
【００３３】
望ましくは、走査信号とデータ信号を印加する印加時点の差は１０ｎｓ以上１０００ｎｓ以下の範囲にある。
【００３４】
望ましくは、走査信号とデータ信号を印加する印加時点の差は走査信号幅の１／１００倍以上、１倍以下の範囲にある。
【００３５】
例示的な実施例で、複数のアドレス電極群にデータ信号を印加する時点のうち、２個の（時間的に）連続するデータ信号を印加する時点の間の差は所定の値である。
【００３６】
例示的な実施例で、複数のアドレス電極群にデータ信号を印加する時点のうち、２個の（時間的に）連続するデータ信号を印加する時点の間の差は互いに異なる。
【００３７】
望ましくは、複数のアドレス電極群にデータ信号を印加する時点のうち、２個の（時間的に）連続するデータ信号を印加する時点の間の差は１０ｎｓ以上１０００ｎｓ以下の範囲にある。
【００３８】
例示的な実施例で、リセット期間以前に、漸進的に変化する電圧を特徴にするランプ波形が走査電極や維持電極に印加される。
【００３９】
例示的な実施例で、リセット期間以前に、負極性波形が走査電極に印加されて、正極性波形が維持期間に印加される。
【００４０】
例示的な実施例で、走査電極に印加される負極性波形は立ち下がりランプ波形（Ramp−down）で、維持電極に印加される正極性波形は矩形派である。
【００４１】
例示的な実施例で、走査電極に印加される立ち下がりランプ波形（Ramp−down）の電圧はアースレベルＧＮＤから所定の電圧レベルに下降する。
【００４２】
例示的な実施例で、走査電極に印加される立ち下がりランプ波形（Ramp−down）の電圧の下限はアドレス期間中に走査電極に印加される走査信号電圧の下限と同じである。
【００４３】
例示的な実施例で、維持電極に印加される正極性波形の電圧は、アドレス期間以後に維持電極に印加される維持信号電圧Ｖｓである。
【００４４】
本発明は、走査電極と維持電極と、この走査電極と維持電極と交差するアドレス電極を備えるプラズマディスプレイ装置であって、この装置は、アドレス期間に走査電極に走査信号を印加するための走査ドライバーと、リセット期間のセットダウン期間中に維持電極をアースさせるための維持ドライバーと、前記走査信号に応答して、各電極群が少なくとも１つのアドレス電極を備える複数のアドレス電極群のうち少なくとも１つにデータ信号を、他のアドレス電極群にデータ信号を印加する時点とは異なる時点で、印加するためのデータドライバーと、を含むプラズマディスプレイ装置によって全部または部分的に達成されることができる。
【００４５】
複数のアドレス電極群それぞれは、望ましくは同じ数のアドレス電極を含む。代案的に、複数のアドレス電極群のうち少なくとも１つは他のアドレス電極群とは異なる数のアドレス電極を含む。同じアドレス電極群にある各アドレス電極は、望ましくは同じ時点でデータ信号を受信する。
【００４６】
走査信号とデータ信号を印加する時点の差は望ましくは１０ｎｓ以上１０００ｎｓ以下の範囲にある。代案的に、走査信号とデータ信号を印加する時点の間の差は望ましくは走査信号幅の１／１０００倍以上、１倍以下の範囲にある。
【００４７】
複数のアドレス電極群にデータ信号を印加する時点のうち、２個の（時間的に）連続するデータ信号を印加する時点の間の差は、望ましくは所定の値である。代案的に、複数のアドレス電極群にデータ信号を印加する時点の中に、２個の（時間的に）連続するデータ信号を印加する時点の間の差は互いに異なる。複数のアドレス電極群にデータ信号を印加する時点のうち、２個の（時間的に）連続するデータ信号を印加する時点の間の差は望ましくは１０ｎｓ以上１０００ｎｓ以下の範囲にある。
【００４８】
リセット期間以前に、負極性波形は望ましくは走査電極に印加されて、正極性波形は望ましくは維持電極に印加される。走査電極に印加された負極性波形は立ち下がりランプ波形（Ramp−down）で、維持電極に印加される正極性波形は矩形派である。走査電極に印加される立ち下がりランプ波形（Ramp−down）の電圧は、望ましくはアースレベルＧＮＤから所定の電圧レベルに下降する。走査電極に印加される立ち下がりランプ波形（Ramp−down）の電圧の下限は、望ましくはアドレス期間中に走査電極に印加される走査信号電圧の下限と同じである。維持電極に印加される正極性波形の電圧は、望ましくはアドレス期間以後に維持電極に印加される維持信号電圧Ｖｓである。
【００４９】
本発明は、リセット期間、アドレス期間、及び維持期間にそれぞれ所定の信号を走査電極、維持電極、及びアドレス電極Ｘ1〜Ｘｎ（ｎは正定数である）に印加することで画像をディスプレイするプラズマディスプレイ装置の駆動方法であって、この方法は、リセット期間のセットダウン期間中に維持電極をアースさせる段階と、アドレス期間で走査信号を走査電極に印加する段階と、走査信号に応答して、各電極群が少なくとも１つのアドレス電極を備える複数のアドレス電極群のうち少なくとも１つに、データ信号を走査信号を走査電極に印加する時点とは異なる時点で印加する段階と、を含むプラズマディスプレイ装置の駆動方法によって全部または部分的に達成されることができる。放電セル内壁電荷の量を累積させるための予備リセット期間は、望ましくはリセット期間以前に設定される。
【００５０】
本発明は、リセット期間、アドレス期間、及び維持期間にそれぞれ所定の信号を走査電極、維持電極、及び第１及び第２アドレス電極Ｘ1〜Ｘｎ（ｎは正定数である）に印加して画像をディスプレイするプラズマディスプレイ装置の駆動方法であって、この方法は、リセット期間のセットダウン期間中に維持電極をアースさせる段階と、アドレス期間で走査信号を走査電極に印加する段階と、走査信号に応答して、第１及び第２アドレス電極にデータ信号を印加する時点とは異なる時点でデータ信号を印加する段階と、を含むプラズマディスプレイ装置の駆動方法によって全部または部分的に達成されることができる。放電セル内壁電荷の量を累積させるための予備リセット期間は望ましくはリセット期間以前に設定される。
【００５１】
本発明の追加的な利点、目的、及び特徴は、以下の詳細な説明に部分的に記述され、また部分的には以下の内容を調査してこの技術分野に熟練された通常の知識を持った者には明白であって、または本発明の実務から学ぶことが可能である。本発明の目的と利点は添付された請求項に具体的に指摘されたように実現、達成することができる。
【発明の効果】
【００５２】
本発明によれば、プラズマディスプレイパネルにおいて、少なくとも１つのアドレス信号を走査信号を受信するセルに印加する時点が、前記走査信号を印加する時点と異なるようにオフセットされている。このオフセットは画像の品質を上げ、及び／またはノイズを低減させる。
【発明を実施するための最良の形態】
【００５３】
図７は、プラズマディスプレイパネルの構造を図示する。このプラズマディスプレイパネルは、画像がディスプレイされる表示面である前面基板１００を含む。前面基板１０１には、走査電極１０１と維持電極１０２が対を成して形成された複数の維持電極の対が配列されている。また、プラズマディスプレイパネルは、前面基板１００と一定距離離間されて配置された後面基板１１０を含んでいる。後面基板１１０には、維持電極の対と交差されるように複数のアドレス電極１１２が配置されている。
【００５４】
走査電極１０２と維持電極１０１は、１つの放電セル内に放電を発生させて、このセルの発光を維持するための一対の電極を形成する。図７に示すように、この走査電極１０２と維持電極１０１は、ＩＴＯ（Indium Tin Oxide）で形成された透明な電極ａと金属材質で製作されたバス電極ｂを含む。この走査電極１０２及び維持電極１０１は、放電電流を制限して電極の対の間を絶縁させる少なくとも１つの上部誘電体層１０３によって覆われている。上部誘電体層１０３表面には、放電条件を容易くするために酸化マグネシウムＭｇＯ薄膜を蒸着した保護層１０４が形成される。走査電極と維持電極は、１つの層を使って具現されることが可能で、また層１０３、１０４は１つの層を使って具現されることが可能である。
【００５５】
後面基板１１０は複数個の放電空間、すなわち、放電セルを形成するためのストライプタイプ（またはウェルタイプ）の障壁リブ、すなわち、隔壁１１１を含み、アドレス電極１１２の方向と一直線に配列される。代案的に、この障壁リブ、すなわち、隔壁は、また走査電極／維持電極方向に伸ばすことができる。また、アドレス放電を遂行して紫外線を発生させるための複数のアドレス電極１１２が、障壁リブ１１２に平行に配置される。後面基板１１０の上部面にはアドレス放電間に画像ディスプレイのための可視光線を放出するＲ、Ｇ、Ｂ蛍光体、例えばフォスファ１１３が覆われている。アドレス電極１１２と蛍光体１１３の間には、アドレス電極１１２を保護するための下部誘電体層１１４が形成される。
【００５６】
プラズマディスプレイパネルで、放電セルはマトリックス（Matrix）構造で複数個が形成されて、駆動回路を含む駆動モジュールが放電セルに所定の信号を供給する。図８は、このようなプラズマディスプレイパネルと駆動モジュールの間の結合関係を図示する。この駆動モジュールは、データドライバーとしてデータドライバーＩＣ（Integrated  Circuit）２０と、走査ドライバーとして走査ドライバーＩＣ２１と、維持ドライバーとして維持ボード２３と、を含む。
【００５７】
プラズマディスプレイパネル２２は、外部から映像信号を受信して所定の信号処理過程を遂行してデータドライバーＩＣ２０から出力されたデータ信号を受信して、走査ドライバーＩＣ２１から出力された走査信号及び維持信号を受信して、維持ボード２３から出力された維持信号を受信する。データ信号、走査信号、維持信号を受信したプラズマディスプレイパネル２２の複数のセルのうち走査信号によって選択されたセルにだけ放電が発生する。以後、この選択されたセルは所定の輝度（brightness）で発光する。ここでデータドライバーＩＣ２０は、ＦＰＣ（Flexible Printed Circuit）（図示せず）のような連結体を通じて各データ電極Ｘ1〜Ｘｎに所定のデータ信号を出力する。
【００５８】
図９は、本発明の一実施例によるプラズマディスプレイパネルの駆動方法を説明するための駆動波形を示す図面である。１つのサブフィールドのアドレス期間ですべてのアドレス電極Ｘ1〜Ｘｎに印加されるデータ信号の印加時点は、対応するか又は選択された走査電極に印加される走査信号の印加時点と異なり、この時、リセット期間のセットダウン期間中に維持電極とアドレス電極に印加される信号の電圧をアースレベルＧＮＤに設定する。このように、走査電極に印加される走査信号の印加時点とアドレス電極Ｘ1〜Ｘｎに印加されるデータ信号の印加時点を異ならせながら、リセット期間のセットダウン期間中に維持電極の信号電圧をアースレベルＧＮＤに維持すると、走査電極に印加される信号と維持電極に印加される信号の間のカップリングによって発生する走査電極に印加される波形の変化を防止することができる。これによって、駆動マージンを安定的に確保することができる。
【００５９】
ここで、走査電極に印加される走査信号の印加時点とアドレス電極Ｘ1〜Ｘｎに印加されるデータ信号の印加時点を互いに異ならせる方法はいろいろが可能であるが、このような方法の中にアドレス電極Ｘ1〜Ｘｎに走査信号の印加時点と互いに異なる時点で各データ信号を印加する方法がある。図１０Ａないし図１０Ｇは本発明の実施例によるプラズマディスプレイパネルの駆動波形で走査信号の印加時点とデータ信号の印加時点を詳しく示す図面である。図１０Ａないし図１０Ｇに示すように、１つのサブフィールドのアドレス期間でアドレス電極Ｘ1〜Ｘｎに印加されるすべてのデータ信号の印加時点は走査電極Ｙに印加される走査信号の印加時点とそれぞれ互いに異なる。
【００６０】
図１０Ａに示すように、走査電極Ｙに印加される走査信号の印加時点を’ｔｓ’と仮定すれば、アドレス電極Ｘ1〜Ｘｎの配置順番によって、例えばアドレス電極Ｘ1には走査電極Ｙに走査信号が印加される時点より２Δt分先行する時点でデータ信号を受信するが、すなわち、時点ｔｓ−２Δtにデータ信号がアドレス電極Ｘ1に印加される。これと類似する方法で、アドレス電極Ｘ２には走査電極Ｙに走査信号が印加される時点よりΔt分先行する時点でデータ信号を受信するが、すなわち、時点ｔｓ−Δtにデータ信号がアドレス電極Ｘ２に印加される。アドレス電極Ｘ（ｎ−1）には時点ｔｓ＋（ｎ−４）Δtにデータ信号が印加されて、アドレス電極Ｘｎには時点ｔｓ＋（ｎ−３）Δtにデータ信号が印加される。すなわち、アドレス電極Ｘ1〜Ｘｎに印加されるデータ信号は走査電極Ｙに印加される走査信号の印加時点の以前または以後に印加される。
【００６１】
図１０Ａに示す方法とはやや異なって、図１０Ｂに示すように，少なくとも１つのアドレス電極Ｘ1〜Ｘｎに印加されるデータ信号の印加時点を走査電極Ｙに印加される走査信号の印加時点以後に設定することもできる。図１０Ｂの駆動波形は、図１０Ａの駆動波形とは異なるが、二つの駆動波形でデータ信号は走査信号の印加時点とは異なる時点で印加される。特に、すべてのデータ信号は走査信号より遅く印加される。前述したように、走査信号の印加時点後にすべてのデータ信号が印加されるように設定する代りに、ただ１つのデータ信号だけが印加されるように設定することも可能である。すなわち、走査信号の印加時点より遅く印加されるデータ信号の個数は変更可能である。
【００６２】
例えば、図１０Ｂに示すように、走査電極Ｙに印加される走査信号の印加時点を’ｔｓ’と仮定すれば、アドレス電極Ｘ1〜Ｘｎの配置順番によって、例えばアドレス電極Ｘ1には、走査電極Ｙに走査信号が印加される時点よりΔt分遅れた時点で、データ信号が印加されるが、すなわち、時点ｔｓ＋Δtにデータ信号がアドレス電極Ｘ1に印加される。これと同じく、アドレス電極Ｘ２には走査電極Ｙに走査信号が印加される時点より２Δt分遅れた時点でデータ信号が印加されるが、すなわち、時点ｔｓ＋２Δtにデータ信号がアドレス電極に印加される。アドレス電極Ｘ３には時点ｔｓ＋３Δtにデータ信号が印加されて、アドレス電極Ｘｎには時点ｔｓ＋nΔtにデータ信号が印加される。すなわち、走査電極Ｙに印加される走査信号の印加時点以後にアドレス電極Ｘ1〜Ｘｎにすべてのデータ信号が印加される。
【００６３】
図１０Ｂの駆動波形で領域Ａ（図１０Ｃに拡大分解図が図示されている）は放電が発生する領域を図示する。領域Ａで、アドレス放電開始電圧（Firing Voltage）すなわち、電圧差は１７０Ｖで、走査信号の電圧は１００Ｖで、データ信号の電圧は７０Ｖだと仮定すれば、先に走査電極Ｙに印加される走査信号によって走査電極Ｙとアドレス電極Ｘ1の間の電圧差は１００Ｖになる。しかし、この走査信号が走査電極に印加された時点からΔt分の時間が経った後、アドレス電極Ｘ1に印加されるデータ信号によって走査電極Ｙとアドレス電極Ｘ1の間の電圧差は１７０Ｖに上昇する。これによって、走査電極Ｙとアドレス電極Ｘ1の間の電圧差がアドレス放電開始電圧になって、走査電極Ｙとアドレス電極Ｘ1の間にアドレス放電が発生する。
【００６４】
図１０Ｂに示す方法とは異なって、図１０Ｄに示すように走査信号に先行してすべてのデータ信号が印加されるように設定することも可能である。図１０Ａ及び図１０Ｂに示す駆動波形とは違い、図１０Ｄの駆動波形はアドレス電極Ｘ1〜Ｘｎに印加されるすべてのデータ信号の印加時点が走査電極Ｙに印加される走査信号の印加時点と異なる場合、より具体的に走査信号の印加時点より先行する他の場合を図示する。図１０Ｄは、すべてのデータ信号の印加時点を走査信号の印加時点より先行するように設定したが、１つのデータ信号の印加時点のみを、前述した走査信号の印加時点より先行するように設定することもできるということを図示する。言いかえれば、このような走査信号の印加時点より先行して印加されるデータ信号の個数は変更可能である。
【００６５】
例えば、図１０Ｄに示すように、走査電極Ｙに印加される走査信号の印加時点を’ｔｓ’と仮定すれば、アドレス電極Ｘ1〜Ｘｎの配置順番によって、例えばアドレス電極Ｘ1には走査電極Ｙに走査信号が印加される時点よりΔt分先行する時点でデータ信号が印加されるが、すなわち、時点ｔｓ−Δtにデータ信号がアドレス電極Ｘ1に印加される。これと同じく、アドレス電極Ｘ２には走査電極Ｙに走査信号が印加される時点より２Δt分先行する時点でデータ信号が印加されるが、すなわち、時点ｔｓ−２Δtにデータ信号がアドレス電極Ｘ２に印加される。このような方法で、アドレス電極Ｘ３には時点ｔｓ−３Δtにデータ信号が印加されて、アドレス電極Ｘｎには時点ｔｓ−nΔtにデータ信号が印加される。すなわち、アドレス電極Ｘ1〜Ｘｎには走査電極Ｙに走査信号が印加される時点以前にすべてのデータ信号が印加される。
【００６６】
図１０Ｄの駆動波形で領域Ｂ（図１０Ｅに拡大分解図が図示されている）は放電が発生する領域を図示する。領域Ｂで、アドレス放電開始電圧、すなわち、電圧差が図１０Ｃと同じく１７０Ｖで、走査信号の電圧は１００Ｖで、データ信号の電圧が７０Ｖだと仮定すれば、先にアドレス電極Ｘ1に印加されるデータ信号によって走査電極Ｙとアドレス電極 Ｘ1の間の電圧差は７０Ｖになる。しかし、データ信号がアドレス電極Ｘ1に印加される時点からΔt分の時間が経った後、走査電極Ｙに印加される走査信号によって走査電極Ｙとアドレス電極Ｘ1の間の電圧差は１７０Ｖに上昇する。これによって、走査電極Ｙとアドレス電極Ｘ1の間の電圧差がアドレス放電開始電圧になって、走査電極Ｙとアドレス電極Ｘ1の間にアドレス放電が発生する。
【００６７】
図１０Ａないし図１０Ｅでは、走査電極Ｙに印加される走査信号の印加時点とアドレス電極Ｘ1〜Ｘｎに印加されるデータ信号の印加時点の間の差、またはアドレス電極Ｘ1〜Ｘｎに印加されるデータ信号の間の印加時点の差はオフセットタイミング、すなわち、時間差と考えることができるΔtを使って説明して来た。例えば、走査電極Ｙに走査信号が印加される印加時点を’ｔｓ’に設定し、走査信号の印加時点と次に一番近接したデータ信号の間の印加時点の間の時間差はΔtに設定された。この方法で、走査信号の印加時点と、この走査信号からその次近接したデータ信号の間の印加時点の差を２倍のΔt、すなわち、２Δtに設定した。ここでΔt値は一定に維持される。
【００６８】
言いかえれば、走査電極Ｙに走査信号が印加される印加時点と、アドレス電極Ｘ1〜Ｘｎに印加されるデータ信号の印加時点をそれぞれ互いに異ならせながら、それぞれのアドレス電極Ｘ1〜Ｘｎに印加されるデータ信号間の印加時点間の差は、それぞれ互いに同じである。しかし、１つのサブフィールドで、それぞれのアドレス電極Ｘ1〜Ｘｎに印加されるデータ信号間の印加時点間の差はそれぞれ互いに同じくしながら、走査信号の印加時点と走査信号の印加時点と一番近接したデータ信号の印加時点の間の差を同じくすることも可能で、また互いに異ならせることもできる。
【００６９】
例えば、１つのサブフィールドのアドレス期間で走査信号の印加時点と、次に一番近接したデータ信号の間の印加時点間の時間差をΔtとすれば、同じサブフィールドで他のアドレス期間で走査信号の印加時点と次に一番近接したデータ信号の間の印加時点間の時間差を２Δtに設定するのが可能である。ここで、アドレス期間に与えられた時間が制限されていることを考慮する時、走査信号の印加時点とこれと一番接したデータ信号の間の印加時点の差は１０ナノ秒（ｎｓ）以上、１０００ナノ秒（ｎｓ）以下に設定されることが望ましい。また、プラズマディスプレイパネルの駆動による１つの走査信号幅を考慮すればΔtは、所定の走査信号幅の１／１００倍以上、１倍以下の範囲内に設定されることが望ましい。例えば、１つの走査信号の幅が１ｕｓ（マイクロ秒）と仮定すれば、信号の印加時点の間の時間差は１ｕｓ（マイクロ秒）の１／１００倍、すなわち、１０ナノ秒（ｎｓ）以上、１ｕｓ（マイクロ秒）の１倍、すなわち、１０００ナノ秒（ｎｓ）以下の範囲（１０ｎｓ≦Δt≦１０００ｎｓ）にすることが好ましい。
【００７０】
また、このように走査信号の印加時点とデータ信号の印加時点を互いに異ならせながら、データ信号の間の印加時点の間の時間差をそれぞれ異ならせることもできる。すなわち、アドレス電極Ｘ1〜Ｘｎに印加されるデータ信号の印加時点を走査電極Ｙに印加される走査信号の印加時点と異ならせながら、同時にアドレス電極Ｘ1〜Ｘｎに印加されるデータ信号の間の印加時点をそれぞれ互いに異なるように設定することも可能である。例えば、走査電極Ｙに印加される走査信号の印加時点を’ｔｓ’として、走査信号の印加時点とこれと一番近接したデータ信号の間の印加時点間の時間差をΔtとすれば、走査信号の印加時点とその次近接したデータ信号の間の印加時点の差をΔtではなく３Δtに設定することもできる。
【００７１】
例えば、走査電極Ｙに走査信号が印加される時点（ｔｓ）が０ナノ秒とすると、アドレス電極Ｘ1に１０ナノ秒（ｎｓ）の時点でデータ信号が印加される。これによって走査電極Ｙに印加される走査信号の印加時点と、アドレス電極Ｘ1に印加されるデータ信号の印加時点間の時間差は１０ナノ秒（ｎｓ）である。そして、その次アドレス電極であるＸ２には２０ナノ秒（ｎｓ）の時点でデータ信号が印加されるが、これは前述した走査電極Ｙに印加される走査信号の印加時点とアドレス電極Ｘ２に印加されるデータ信号の印加時点間の時間差が２０ナノ秒（ｎｓ）であることを意味する。これによって、アドレス電極Ｘ1に印加されるデータ信号の印加時点とアドレス電極Ｘ２に印加されるデータ信号の印加時点間の時間差は１０ナノ秒（ｎｓ）である。
【００７２】
そして、その次アドレス電極であるＸ３には４０ナノ秒（ｎｓ）の時点でデータ信号が印加されるが、言いかえれば前述した走査電極Ｙに印加される走査信号の印加時点とアドレス電極Ｘ３に印加されるデータ信号の印加時点間の時間差は４０ナノ秒（ｎｓ）で、これによってアドレス電極Ｘ２に印加されるデータ信号の印加時点とアドレス電極Ｘ３に印加されるデータ信号の印加時点間の時間差は２０ナノ秒（ｎｓ）である。この方法で、走査電極Ｙに印加される走査信号の印加時点とアドレス電極Ｘ1〜Ｘｎに印加されるデータ信号の印加時点を互いに異ならせながら、同時にそれぞれのアドレス電極Ｘ1〜Ｘｎに印加されるデータ信号間の印加時点間の差をそれぞれ互いに異なるように設定することもできる。
【００７３】
例えば、各走査電極Ｙに印加される走査信号の印加時点とアドレス電極Ｘ1〜Ｘｎに印加されるデータ信号の印加時点間の時間差Δtは１０ナノ秒（ｎｓ）以上、１０００ナノ秒（ｎｓ）以下に設定されることが望ましい。また、プラズマディスプレイパネルの駆動による所定の走査信号幅を考慮すればΔtは所定の走査信号幅の１／１００倍以上、１倍以下の範囲内に設定されることが望ましい。
【００７４】
信号印加時点を異ならせるさらに他の方法は、図１０Ｆに図示されている。この駆動波形で、走査信号は走査電極Ｙに’ｔｓ’時点で印加されて、すべてのアドレス電極Ｘ1〜Ｘｎには走査電極に走査信号が印加される時点よりΔt分先行する時点、すなわち、ｔｓ−Δtである時点でデータ信号が印加される。信号印加時点を異ならせるさらに他の方法は、図１０Ｇに図示されている。この駆動波形で、走査電極は‘ｔｓ'時点で走査電極Yに印加されて、すべてのアドレス電極Ｘ1〜Ｘｎには走査電極に走査信号が印加される時点よりΔt分遅い時点、すなわち、ｔｓ＋Δtである時点でデータ信号が印加される。
【００７５】
これによって走査電極Ｙに印加される走査信号の印加時点とアドレス電極Ｘ1〜Ｘｎに印加されるデータ信号の印加時点を異ならせると、アドレス電極Ｘ1〜Ｘｎに印加されるデータ信号の各印加時点でパネルの静電容量を通じてカップリングを減少させることができるし、その結果、走査電極及び維持電極に印加される波形のノイズを減少させることができる。
【００７６】
図１１Ａ及び図１１Ｂは、本発明の実施例によるプラズマディスプレイパネルの駆動波形によって減少されるノイズを説明するための図面である。図１１Ａに示すように、走査電極と維持電極に印加される波形のノイズは相当な部分減少されている。図１１Ｂは図１１Ａの領域Ｃを分解してもっと詳しく拡大して示す図である。このようなノイズが減少された理由は、走査電極Ｙに印加される走査信号の印加時点と同じ時点でアドレス電極Ｘ1〜Ｘｎにデータ信号を印加しないからである。言いかえれば、走査信号の印加時点とそれぞれ異なる時点でデータ信号を印加して各時点でパネルの静電容量（Capacitance）を通じたカップリング（Coupling）が減少された。
【００７７】
データ信号が急上昇する時点では、走査電極と維持電極に印加される波形に発生される立ち上がりノイズが減少された。同じく、データ信号が急下降する時点では、走査電極と維持電極に印加される波形に発生される立ち下がりノイズがまた減少された。これによりアドレス期間で起きるアドレス放電は安定するようになってプラズマディスプレイパネルの駆動效率が向上する。
【００７８】
また、この時リセット期間のセットダウン期間中に、維持電極とアドレス電極に印加される信号の電圧をアースレベルＧＮＤに維持することで、走査電極に印加される信号と維持電極に印加される信号の間のカップリングの割合が減少して走査電極に印加される波形の変動を防止することができる。この方法で、駆動マージンをより安定的に確保することができる。プラズマディスプレイパネルのアドレス放電を安定させることで、１つの駆動ドライバー、例えば、１つの走査ドライバー及び／または１つのデータドライバーを通じてパネル全体をスキャニング（Scanning）できる{これをシングル走査（SingleScan）方法と言う}。
【００７９】
図１２は、プラズマディスプレイパネルの駆動方法を説明するための他の駆動波形の例を示す図面である。図１２で、リセット期間以前に予備リセット期間が加えられる。このような予備リセット期間は複数のサブフィールドのうち任意のサブフィールド、例えばフレームの一番目のサブフィールドにだけ含ませることができる。
【００８０】
予備リセット期間では、放電セル内の走査電極上に正極性電荷を蓄積して、放電セル内の維持電極上に負極性電荷を蓄積する。このような予備リセット期間で走査電極または維持電極のうち少なくとも１つに、電圧の大きさが漸進的に変わるランプ（Ramp）波形が印加される。すなわち、走査電極にだけランプ波形が印加されるか、または維持電極にだけランプ波形が印加されるか、または走査電極と維持電極すべてにランプ波形が印加されることもできるのである。
【００８１】
予備リセット期間中に走査電極上に正極性電荷を蓄積して、維持電極上に負極性電荷を蓄積するため、走査電極には負極性電圧を印加して、維持電極には正極性電圧を印加するようにすることが望ましい。これをランプ波形の観点で見れば、走査電極に電圧が漸進的に下降する負極性電圧の立ち下がりランプ波形（Ramp−down）が印加されるか、または維持電極に電圧が漸進的に上昇する正極性電圧の立ち上がりランプ（Ramp−up）が印加される。
【００８２】
この予備リセット期間で走査電極に負極性電圧を印加して、維持電極には正極性電圧を印加することで、放電セル内の空間電荷の量を減らすことができる。この現象は図１３に図示されている。予備リセット期間中に走査電極Ｙに負極性電圧を印加して、維持電極Ｚには正極性電圧を印加すれば、放電セル内で放電に寄与しない多くの空間電荷１００１が走査電極Ｙまたは維持電極Ｚ上に引かれて行く。これら空間電荷１００１は走査電極Ｙまたは維持電極Ｚ上で壁電荷１０００として動作する。これによって、空間電荷１００１の絶対量が減少して放電セル内の所定の電極上に位置する壁電荷１０００の量が増加する。
【００８３】
パネル周辺の温度が相対的に高くなっても放電セル内の壁電荷１０００の量を充分に提供する。言いかえれば、パネル周辺の温度が相対的に高い場合にも放電セル内で放電に寄与しない空間電荷１００１と壁電荷１０００が互いに再結合するか再組合する割合（または確率）は相対的に低いから、放電に寄与する壁電荷１０００の絶対量が減少する。これにより高温誤放電の発生が防止される。
【００８４】
また、予備リセット期間中に走査電極Ｙに負極性電圧を印加して、維持電極Ｚには正極性電圧が印加されれば、放電セル内で壁電荷１０００の量が増加するようになる。これによって、パネル周辺の温度が相対的に低くプラズマ放電メカニズムが鈍化されても壁電荷の絶対量が増加するため低温誤放電の発生が防止される。
【００８５】
予備リセット期間中に走査電極Ｙに印加される負極性電圧では制御の容易性を考慮する時、立ち下がりランプ波形（Ramp−down）が用いられるのが望ましい。また、維持電極Ｚに印加される正極性電圧は所定電圧値を一定に維持する正極性電圧であることが望ましい。ここで走査電極Ｙに印加される立ち下がりランプの負極性電圧（Ramp−down）の下降する傾きは調節可能である。例えば、より速く強く空間電荷を引き入れようとする場合には、傾きを上げることができるが、すなわち、上昇時間を短くできる。このような予備リセット期間で走査電極Ｙに印加される負極性電圧と維持電極Ｚに印加される正極性電圧の波形はこれに限定されるのではなく変更可能なのである。例えば、走査電極Ｙに電圧が一定に維持される負極性電圧を印加して、維持電極Ｚに立ち上がりランプ波形（Ramp−up）を印加することができるなど変更可能である。
【００８６】
この実施例で、走査電極Ｙに印加される立ち下がりランプ波形（Ramp−down）の負極性電圧がアースレベルＧＮＤから所定電圧まで下降するように設定された。この時、走査電極Yに印加される立ち下がりランプ波形（Ramp−down）の負極性電圧はアドレス期間に走査電極Ｙに印加される信号電圧の下限まで下降するのが望ましい。すなわち、走査電極Ｙに印加される立ち下がりランプ波形（Ramp−down）の負極性電圧が下降する所定電圧はアドレス期間に走査電極Ｙに印加される走査信号の電圧の下限と同じである。
【００８７】
このように、立ち下がりランプ波形（Ramp−down）の負極性電圧の下限をアドレス期間に走査電極Ｙに印加される走査信号の電圧の下限と同じくすることで、別途の駆動電圧供給部（図示せず）の追加なしにも本発明のプラズマディスプレイパネルの駆動方法による駆動波形を具現することができるようになる。維持電極Ｚに印加される正極性電圧は維持期間に印加される維持電圧Ｖｓであるのが望ましい。
【００８８】
以前のサブフィールドの維持期間と以後のサブフィールドのリセット期間中に壁電荷を蓄積するための予備リセット期間を追加して、このような予備リセット期間で走査電極Ｙに負極性電圧を印加して、維持電極Ｚに正極性電圧を印加することで、放電セル内の走査電極Ｙ上に正極性壁電荷を蓄積して、放電セル内の維持電極Ｚ上に負極性壁電荷を蓄積する。このリセット期間のセットアップ期間中に、リセット信号の立ち上がりランプ波形（Ramp−up）の電圧を減らすことができるようになる。また、このリセット期間のセットアップ期間中に印加される立ち上がりランプ波形（Ramp−up）は放電セル内に壁電荷を蓄積するのに寄与する。
【００８９】
この立ち上がりランプ波形（Ramp−up）が印加される前であっても、予備リセット期間で既に一定量の壁電荷を蓄積した状態なので、立ち上がりランプ波形の大きさが小さくても放電セル内でセットアップに必要な十分な正壁電荷を蓄積することができる。そして、リセット期間で立ち上がりランプ波形を減らすことができるし、また高温誤放電及び／または低温誤放電の発生も低減させることができる。
【００９０】
プラズマディスプレイパネルの駆動波形の以前の実施例によれば、走査電極に印加される走査信号の印加時点と互いに異なる時点でアドレス電極Ｘ1〜Ｘｎにデータ信号が印加されるが、これとは異なって、アドレス電極Ｘ1〜Ｘｎに印加されるデータ信号のうち少なくとも１つはアドレス電極Ｘ1〜Ｘｎ中で２〜（ｎ−１）個のアドレス電極に同じ時点で印加されるようにすることも可能である。図１４は本発明の実施例によるプラズマディスプレイパネルに用いるための電極群分割による駆動方法を説明するための図面である。
【００９１】
図１４を参照すれば、プラズマディスプレイパネル１００のアドレス電極Ｘ1〜Ｘｎは、Ｘａ電極群（Ｘａ１〜Ｘａ（ｎ）／４）１０１、Ｘｂ電極群（Ｘｂ（ｎ／４＋１）〜Ｘｂ（２n）／４）１０２、Ｘｃ電極群（Ｘｃ（２n／４＋１）〜Ｘｃ（３n）／４）１０３及びＸｄ電極群（Ｘｄ（３n／４＋１）〜Ｘｄ（ｎ））１０４に分けられる。このように区分した各アドレス電極群のうち少なくとも何れか１つのアドレス電極群には、走査電極Ｙに印加される走査信号の印加時点と異なる時点でデータ信号を印加する。Ｘａ電極群１０１に属する電極（Ｘａ１〜Ｘａ（ｎ）／４）すべてには走査電極Ｙに印加される走査信号の印加時点と異なる時点でデータ信号を印加するが、前述したＸａ電極群１０１に属する電極（Ｘａ１〜Ｘａ（ｎ）／４）に印加されるデータ信号の印加時点は皆同じくする。
【００９２】
また、残り他の電極群１０２、１０３、１０４に属する他の電極には、Ｘａ電極群１０１に属する電極（Ｘａ１〜Ｘａ（ｎ）／４）にデータ信号を印加する印加時点と異なる時点でデータ信号を印加して、この時の他のアドレス電極群１０２、１０３、１０４に属する電極に印加されるデータ信号の印加時点は、走査電極Ｙに印加される走査信号の印加時点と同じか、または異なることができる。
【００９３】
図１４に示す実施例で、各アドレス電極群１０１、１０２、１０３、１０４に含まれたアドレス電極の個数を同じようにしたが、各アドレス電極群１０１、１０２、１０３、１０４に含まれるアドレス電極の個数を互いに異なるように設定することも可能である。そして、アドレス電極群の個数（ｎ）も調節可能である。実際、このようなアドレス電極群の個数は最小２個以上、最大アドレス電極の総数（ｎ）より小さな範囲、すなわち、２≦Ｎ≦（ｎ−１）個の間に設定されることが望ましい。
【００９４】
図１４のアドレス電極群の実施例を前述した図９の実施例と比べて見れば、図９ではプラズマディスプレイパネルのアドレス電極Ｘ1〜Ｘｎを複数のアドレス電極群に区分して、それぞれのアドレス電極群はそれぞれ１つずつのアドレス電極を含む。
【００９５】
図１４は、データドライバーとしてのデータドライバーＩＣ、走査ドライバーとしての走査ドライバーＩＣ及び維持ドライバーとしての維持ボードがそれぞれパネル１００と所定の距離位離れた状態であるパネル１００の構造を図示する。データドライバーＩＣ、走査ドライバーＩＣ、及び維持ボードはアドレス電極、走査電極、維持電極とそれぞれ繋がれているが、データドライバーＩＣ、走査ドライバーＩＣ及び維持ボードはパネル１００と結合された構造で成り立つこともできる。
【００９６】
図１５Ａないし図１５Ｃは、本発明の実施例によるプラズマディスプレイパネルの電極群分割によって走査信号の印加時点とデータ信号の印加時点を示す図面である。複数のアドレス電極Ｘ1〜Ｘｎを図１４と一緒に複数のアドレス電極群（Ｘａ電極群、Ｘｂ電極群、Ｘｃ電極群及びＸｄ電極群）に分けて、サブフィールドのアドレス期間で複数のアドレス電極群のうち少なくとも１つのアドレス電極群のアドレス電極Ｘ1〜Ｘｎに印加されるデータ信号の印加時点は走査電極Ｙに印加される走査信号の印加時点と互いに異なる。この時、リセット期間のセットダウン期間中に、維持電極とアドレス電極に印加される信号の電圧をアースレベルＧＮＤに維持する。
【００９７】
走査電極に印加される走査信号の印加時点とアドレス電極Ｘ1〜Ｘｎに印加されるデータ信号の印加時点が異ならせながら、リセット期間のセットダウン期間中に維持信号の電圧をアースレベルＧＮＤに維持する理由は、走査電極に印加される信号と維持電極に印加される信号の間のカップリングによる走査電極に印加される波形の変動を防止するためだからである。これによって駆動マージンを安定的に確保することができる。
【００９８】
例えば、図１５Ａに示すように、走査電極Ｙに印加される走査信号の印加時点を’ｔｓ’と仮定する時、アドレス電極Ｘ１〜Ｘｎを含むアドレス電極群の配置順番に合わせて、例えばＸａ電極群に含まれたアドレス電極（Ｘａ１〜Ｘａ（ｎ）／４）には走査電極Ｙに走査信号が印加される時点より２Δt分先行する時点、すなわち、時点ｔｓ−２Δtにデータ信号が印加される。これと同じく、Ｘｂ電極群に含まれたアドレス電極（Ｘｂ（ｎ／４＋１）〜Ｘｂ（２n）／４）には走査電極Ｙに走査信号が印加される時点よりΔt分先行する時点、すなわち、時点ｔｓ−Δtにデータ信号が印加される。Ｘｃ電極群に含まれたアドレス電極（Ｘｃ（２n／４＋１）〜Ｘｃ（３n）／４）には時点ｔｓ＋Δtにデータ信号が印加されて、Ｘｄ電極群に含まれたアドレス電極（Ｘｄ（３n／４＋１）〜Ｘｄ（ｎ））には時点ｔｓ＋２Δtにデータ信号が印加される。すなわち、アドレス電極Ｘ１〜Ｘｎを含む各電極群Ｘａ、Ｘｂ、Ｘｃ、Ｘｄに印加されるデータ信号は走査電極Ｙに印加される走査信号の印加時点の以前または以後に印加される。
【００９９】
図１５Ａに示す方法とは異なって、複数のアドレス電極群のうち少なくとも１つのアドレス電極群のアドレス電極に印加されるデータ信号の印加時点を図１５Ｂに示すように走査電極に印加される走査信号の印加時点より遅く設定することもできる。すべてのデータ信号の印加時点は前述した走査信号の印加時点より遅れる。また、すべてのアドレス電極群に印加される印加時点を設定する代りに、ただ１つのアドレス電極群に印加されるデータ信号の印加時点のみを前述した走査信号の印加時点より遅く設定することもでき、またこのような走査信号の印加時点より遅くデータ信号が印加されるアドレス電極群の個数も変更可能である。
【０１００】
例えば、図１５Ｂに示すように、走査電極Ｙに印加される走査信号の印加時点を’ｔｓ’と仮定する時、アドレス電極Ｘ１〜Ｘｎをそれぞれ含むアドレス電極群の配置順番に合わせて、アドレス電極群Ｘａに含まれたアドレス電極には走査電極Ｙに走査信号が印加される時点よりΔt分遅い時点、すなわち、時点ｔｓ＋Δtにデータ信号が印加される。これと同じく、アドレス電極群Ｘｂに含まれたアドレス電極には走査電極Ｙに走査信号が印加される時点より２Δt分遅い時点、すなわち、時点ｔｓ＋２Δtにデータ信号が印加される。アドレス電極群Ｘｃに含まれたアドレス電極には時点ｔｓ＋３Δtにデータ信号が印加されて、アドレス電極群Ｘｄには時点ｔｓ＋４Δtにデータ信号が印加される。すなわち、図１５Ｂに示すようにすべてのアドレス電極群にあるアドレス電極Ｘ1〜Ｘｎに印加されるすべてのデータ信号は走査電極Ｙに印加される走査信号の印加時点の以後に印加される。
【０１０１】
図１５Ｂに示す方法とは異なって、すべてのアドレス電極群にあるアドレス電極Ｘ1〜Ｘｎに印加されるすべてのデータ信号の印加時点を図１５Ｃに示すように走査電極Ｙに印加される走査信号の印加時点より先行するように設定することもできる。図１５Ｄの駆動波形はアドレス電極群にあるアドレス電極Ｘ1〜Ｘｎに印加されるすべてのデータ信号の印加時点が走査電極Ｙに印加される走査信号の印加時点と異なる場合、より具体的にすべてのデータ信号の印加時点が前述した走査信号の印加時点より先行する他の場合を図示する。  図１５Ｃはすべてのデータ信号の印加時点を走査信号の印加時点より先行するように設定する場合を図示しているが、複数のアドレス電極群のうちただ１つの電極群に含まれたアドレス電極に印加されるデータ信号の印加時点のみを前述した走査信号の印加時点より先行するように設定することもできる。言いかえれば、走査信号の印加時点より先行してデータ信号が印加されるアドレス電極群の個数は変更可能である。
【０１０２】
例えば、図１５Ｃに示すように、走査電極Ｙに印加される走査信号の印加時点を’ｔｓ’と仮定する時、アドレス電極Ｘ1〜Ｘｎをそれぞれ含むアドレス電極群の配置順番に合わせて、アドレス電極群Ｘａに含まれたアドレス電極には走査電極Ｙに走査信号が印加される時点よりΔt分先行する時点、すなわち、時点ｔｓ−Δtにデータ信号が印加される。これと同じく、アドレス電極群Ｘｂに含まれたアドレス電極には走査電極Ｙに走査信号が印加される時点より２Δt分先行する時点、すなわち、時点ｔｓ−２Δtにデータ信号が印加される。アドレス電極群Ｘｃに含まれたアドレス電極には時点ｔｓ−３Δtにデータ信号が印加されて、アドレス電極群Ｘｄに含まれたアドレス電極には時点ｔｓ−４Δtにデータ信号が印加される。アドレス電極Ｘ1〜Ｘｎを含む各電極群に印加されるすべてのデータ信号は走査電極Ｙに印加される走査信号の印加時点より以前に印加される。
【０１０３】
図１５Ａないし図１５Ｃに示すように、走査電極Ｙに印加される走査信号の印加時点を’ｔｓ’と設定して、走査信号の印加時点ｔｓと次に一番近接したデータ信号の間の印加時点間の時間差をΔtと設定して、走査信号の印加時点ｔｓとその次近接したデータ信号の間の印加時点の差を２Δtと設定した。ここでΔt値は一定に維持される。すなわち、複数のアドレス電極群のうち少なくともどの１つのアドレス電極群にあるアドレス電極Ｘ1〜Ｘｎに印加されるデータ信号の印加時点を走査電極Ｙに印加される走査信号の印加時点と互いに異ならせながら複数のアドレス電極群に含まれたそれぞれのアドレス電極Ｘ1〜Ｘｎに印加されるデータ信号の間の印加時点の差はそれぞれ同じく設定する。
【０１０４】
複数のアドレス電極群のうち少なくとも１つの電極群にあるアドレス電極に印加されるデータ信号の印加時点を走査電極Ｙに印加される走査信号の印加時点と互いに異ならせながら複数のアドレス電極群毎にそれぞれのアドレス電極群に印加されるデータ信号の間の印加時点の差はそれぞれ異ならせることもできる。例えば、走査信号の印加時点ｔｓと次に一番近接したデータ信号の間の印加時点間の時間差をΔtとすれば、走査信号の印加時点ｔｓとその次近接したデータ信号の間の印加時点の差はΔtではなく３Δtに設定することもできる。
【０１０５】
例えば、ｔｓ=０ナノ秒（ｎｓ）とすれば、アドレス電極群Ｘａに含まれたアドレス電極に１０ナノ秒（ｎｓ）の時点でデータ信号が印加される。これによって走査電極Ｙに印加される走査信号の印加時点とアドレス電極群Ｘａに印加されるデータ信号の印加時点間の時間差は１０ナノ秒（ｎｓ）である。そして、その次アドレス電極群であるＸｂに含まれたアドレス電極には２０ナノ秒（ｎｓ）の時点でデータ信号が印加されるが、これは前述した走査電極Ｙに印加される走査信号の印加時点とアドレス電極群Ｘｂに印加されるデータ信号の印加時点間の時間差が２０ナノ秒（ｎｓ）であることを意味する。これによって、アドレス電極群Ｘａに印加されるデータ信号の印加時点とアドレス電極群Ｘｂに印加されるデータ信号の印加時点間の時間差は１０ナノ秒（ｎｓ）である。
【０１０６】
そして、その次アドレス電極群であるＸｃに含まれたアドレス電極には、４０ナノ秒（ｎｓ）の時点でデータ信号が印加される。すなわち、前述した走査電極Ｙに印加される走査信号の印加時点とアドレス電極群Ｘｃに印加されるデータ信号の印加時点間の時間差は４０ナノ秒（ｎｓ）で、アドレス電極群Ｘｂに印加されるデータ信号の印加時点とアドレス電極群Ｘｃに印加されるデータ信号の印加時点間の時間差は２０ナノ秒（ｎｓ）である。この方法で、走査電極Ｙに印加される走査信号の印加時点とアドレス電極Ｘ1〜Ｘｎに印加されるデータ信号の印加時点を互いに異ならせながらデータ信号間の印加時点の間の差をそれぞれ異なるように設定することもできる。
【０１０７】
アドレス期間に与えられた制限された時間を考慮すれば、アドレス電極郡に印加されたデータ信号の印加時点の差は１０ナノ秒（ｎｓ）以上、１０００ナノ秒（ｎｓ）以下に設定されることが望ましい。また、プラズマディスプレイパネルの駆動による走査信号幅を考慮すれば、Δtは所定の走査信号幅の１／１００倍以上、１倍以下の範囲内に設定されることが望ましい。
【０１０８】
走査電極Ｙに印加される走査信号の印加時点を’ｔｓ’とする時、複数のアドレス電極群に印加されるデータ信号の印加時点間の関係とは関係なく、走査信号の印加時点ｔｓとそのｔｓに一番近接したデータ信号の印加時点の間の差は、１つのサブフィールド内でそれぞれ等しいか、互いに異なることもできる。前述されたように、アドレス期間に与えられた制限された時間を考慮する時、このような走査信号の印加時点と、この走査信号の印加時点と一番近接したデータ信号の印加時点の間の差は、１０ナノ秒（ｎｓ）以上、１０００ナノ秒（ｎｓ）以下に設定されることが望ましい。また、プラズマディスプレイパネルの駆動による走査信号幅を考慮すれば、Δtはすべてアドレス期間の１／１００倍以上、１倍以下の範囲内に設定されることが望ましい。
【０１０９】
走査電極Ｙに印加される走査信号の印加時点と各アドレス電極群に印加されるデータ信号の印加時点を異なるようにすれば、図１１Ａ及び図１１Ｂに示すように、各アドレス電極群にあるアドレス電極Ｘ1〜Ｘｎに印加されるデータ信号の各印加時点でパネルの静電容量を通じてカップリングを減少させることができる。そして、走査電極及び維持電極に印加される波形のノイズを減少させることができる。またアドレス期間で起きるアドレス放電を安定するようにできるだけでなく、プラズマディスプレイパネルの駆動を安定するようにできる。
【０１１０】
また、リセット期間のセットダウン期間中に維持電極とアドレス電極に印加される信号の電圧をアースレベルＧＮＤに維持することで、走査電極に印加される信号と維持電極に印加される信号の間のカップリングの割合を減らすことができて、走査電極に印加される波形の変動を防止することができる。この方法で駆動マージンをより安定的に確保することができる。プラズマディスプレイパネルのアドレス放電を安定させることで、１つのドライバーを通じてパネル全体をスキャニング（Scanning）できる{これをシングル走査（Single Scan）方法と言う}。
【０１１１】
走査信号とデータ信号の間の印加時点を異ならせる場合を、１つのサブフィールド内で説明した。しかし、１つのフレームを基準として走査電極Ｙに印加される走査信号の印加時点とアドレス電極Ｘ1〜Ｘｎまたはアドレス電極群（Ｘａ、Ｘｂ、Ｘｃ、Ｘｄ）に印加されるデータ信号の印加時点を互いに異ならせながらそれぞれのサブフィールド毎にアドレス電極に印加されるデータ信号の間の印加時点の差を互いに異なるように設定することもできる。
【０１１２】
図１６は、プラズマディスプレイパネルの駆動方法を説明するため、他の駆動波形の例を示す図面である。各サブフィールドは他の駆動波形を持っており、フレーム内で各サブフィールドによって走査信号の印加時点とデータ信号の印加時点を互いに異なるように設定する。すなわち、同一のサブフィールドではアドレス電極に印加されるデータ信号の印加時点の間の時間差は皆同じく、また、走査電極に印加される走査信号の印加時点とアドレス電極に印加されるデータ信号の印加時点は互いに異なるように設定される。また一フレームのうち少なくとも１つのサブフィールドでアドレス期間でアドレス電極に印加されるデータ信号の間の印加時点間の時間差はそのフレームの他のサブフィールドでの前記アドレス期間でアドレス電極に印加されるデータ信号の間の印加時点の間の時間差と互いに異なる。
【０１１３】
この時、リセット期間のセットダウン期間中に維持電極とアドレス電極に印加される信号の電圧をアースレベルＧＮＤに維持する。このように、走査電極に印加される走査信号の印加時点とアドレス電極Ｘ1〜Ｘｎに印加されるデータ信号の印加時点が異ならせながら、リセット期間のセットダウン期間中に維持信号の信号電圧をアースレベルＧＮＤに維持する理由は、走査電極に印加される信号と維持電極に印加される信号の間のカップリングによる走査電極に印加される波形の変動を防止するためだからである。これによって駆動マージンをより安定的に確保することができる。
【０１１４】
ここで、データ信号と走査信号の印加時点を異ならせる１つの方法で、一フレームのうち第１サブフィールドでアドレス電極Ｘ1〜Ｘｎに印加されるデータ信号の印加時点を走査電極Ｙに印加される走査信号の印加時点と互いに異ならせながら、アドレス電極に印加されるデータ信号の間の印加時点の間の時間差はΔtに設定する。また、フレームの第２サブフィールドで第１サブフィールドと同じくアドレス電極Ｘ1〜Ｘｎに印加されるデータ信号の印加時点を走査電極Ｙに印加される走査信号の印加時点と互いに異ならせながら、アドレス電極に印加されるデータ信号の間の印加時点の間の時間差は２Δtに設定することができる。このような方法でアドレス電極に印加されるデータ信号の間の印加時点の間の時間差を３Δtまたは４Δtなどにして、１つのフレームに含まれたそれぞれのサブフィールド毎に互いに異なるようにできる。
【０１１５】
さらに、少なくとも１つのサブフィールドでデータ信号の印加時点と走査信号の印加時点を互いに異ならせながら、それぞれのサブフィールド毎にデータ信号の印加時点を走査信号の印加時点の前後で互いに異なるように設定することもできる。例えば、第１サブフィールドではデータ信号の印加時点を走査信号の印加時点より部分的に早く、そして、部分的に遅く設定すれば、第２サブフィールドではすべてのデータ信号の印加時点を走査信号の印加時点の以前に設定して、第３サブフィールドではすべてのデータ信号の印加時点を走査信号の印加時点の以後に設定することもできる。
【０１１６】
図１７Ａないし図１７Ｃは図１６のＤ、Ｅ、Ｆ領域をより詳しく概略的に図示する。図１７Ａで、例えば、走査電極Ｙに印加される走査信号の印加時点を’ｔｓ’と仮定する時、図１６のＤ領域でアドレス電極Ｘ1〜Ｘｎの配置順番に合わせて、アドレス電極Ｘ1には走査電極Ｙに走査信号が印加される時点より２Δt分先行する時点、すなわち、時点ｔｓ−２Δtにデータ信号が印加される。これと同じく、アドレス電極Ｘ２には走査電極Ｙに走査信号が印加される時点よりΔt分先行する時点、すなわち、時点ｔｓ−Δtにデータ信号が印加される。アドレス電極Ｘ（ｎ−1）には時点ｔｓ＋（ｎ−４）Δtにデータ信号が印加されて、アドレス電極Ｘｎには時点ｔｓ＋（ｎ−３）Δtにデータ信号が印加される。すなわち、アドレス電極Ｘ1〜Ｘｎに印加されるデータ信号は走査電極Ｙに印加される走査信号の印加時点の以前、または以後に印加される。
【０１１７】
図１７Ｂで、図１６のＥ領域の駆動波形は図１６のＤ領域の駆動波形と異なるが、二つの駆動波形のデータ信号の印加時点は走査信号の印加時点と異なる。特にすべてのデータ信号の印加時点は前述した走査信号の印加時点より遅れる。しかし、図１７Ｂに示すように、すべてのデータ信号ではなくただ１つのデータ信号の印加時点のみを前述した走査信号の印加時点より遅く印加されるように設定することも可能である。すなわち、走査信号の印加時点より遅く印加されるデータ信号の個数は変更可能である。
【０１１８】
例えば、図１７Ｂに示すように、走査電極Ｙに印加される走査信号の印加時点を’ｔｓ’と仮定する時、アドレス電極Ｘ1〜Ｘｎの配置順番に合わせて、例えばアドレス電極Ｘ1には走査電極Ｙに走査信号が印加される時点よりΔt分遅い時点、すなわち、時点ｔｓ＋Δtにデータ信号が印加される。これと同じく、アドレス電極Ｘ２には走査電極Ｙに走査信号が印加される時点より２Δt分遅い時点、すなわち、時点ｔｓ＋２Δtにデータ信号が印加される。アドレス電極Ｘ３には時点ｔｓ＋３Δtにデータ信号が印加されて、アドレス電極Ｘｎには時点ｔｓ＋nΔtにデータ信号が印加される。
【０１１９】
図１７Ｃの駆動波形は、アドレス電極Ｘ1〜Ｘｎに印加されるデータ信号の印加時点が走査電極Ｙに印加される走査信号の印加時点と異なる場合、より具体的に走査信号の印加時点より先行する他の場合を図示する。図１７Ｃはすべてのデータ信号の印加時点を走査信号の印加時点より先行するようにした場合を図示しているが、ただ１つのデータ信号の印加時点のみを前述した走査信号の印加時点より先行するように設定することもできる。言いかえれば、このような走査信号の印加時点より先行して印加されるデータ信号の個数は変更可能である。
【０１２０】
図１７Ｃに示すように走査電極Ｙに印加される走査信号の印加時点を‘ｔｓ’と仮定する時、アドレス電極Ｘ1〜Ｘｎの配置順番に合わせて、例えばアドレス電極Ｘ1には走査電極Ｙに走査信号が印加される時点よりΔt分先行する時点、すなわち、時点ｔｓ−Δtにデータ信号が印加される。これと同じく、アドレス電極Ｘ２には走査電極Ｙに走査信号が印加される時点より２Δt分先行する時点、すなわち、時点ｔｓ−２Δtにデータ信号が印加される。アドレス電極Ｘ３には時点ｔｓ−３Δtにデータ信号が印加されて、アドレス電極Ｘｎには時点ｔｓ−nΔtにデータ信号が印加される。すなわち、アドレス電極Ｘ1〜Ｘｎに印加されるすべてのデータ信号は走査電極Ｙに印加される走査信号の印加時点以前に印加される。
【０１２１】
このように各サブフィールド毎にアドレス期間で走査電極Ｙに印加される走査信号の印加時点とアドレス電極Ｘ1〜Ｘｎに印加されるデータ信号の印加時点を異なるようにすれば、アドレス電極Ｘ1〜Ｘｎに印加されるデータ信号の各印加時点でパネルの静電容量を通じてカップリングを減少させることができる。そして、走査電極及び維持電極に印加される波形のノイズを減少させることができる。これはまたアドレス期間で起きるアドレス放電を安定するようにしてプラズマディスプレイパネルの駆動の安全性低下を抑制する。
【０１２２】
また、リセット期間のセットダウン期間中に維持電極とアドレス電極に印加される信号の電圧をアースレベルＧＮＤに維持することで、走査電極に印加される信号と維持電極に印加される信号の間のカップリングの割合を減らすことができて走査電極に印加される波形の変動を防止することができる。このようにして駆動マージンをより安定的に確保することができる。このようにプラズマディスプレイパネルのアドレス放電を安定させることで、１つのドライバーを通じてパネル全体をスキャニング（Scanning）できる{これをシングル走査（Single Scan）方法と言う}。
【０１２３】
以上、前述したように、本発明が属する技術分野の当業者なら本発明の技術的思想や範囲を変更しなくても他の具体的な形態で実施されることができるということを理解することが可能である。例えば、前述された実施例は、走査信号が印加される時点と異なる時点でデータ信号を印加するか、アドレス電極を配置順番によって同じアドレス電極の個数を持つ４個の電極群で分けて各電極群毎に走査信号が印加される時点と互いに異なる時点でデータ信号を印加する２個の方法を図示して説明したが、これら方法とは異なって、アドレス電極Ｘ1〜Ｘｎを奇数番目アドレス電極群と偶数番目アドレス電極群で分けて同じ電極群内にいるアドレス電極には同じ時点でデータ信号を印加して、それぞれの電極群のデータ信号印加時点を走査信号が印加される時点と互いに異なるように設定する方法も可能である。本発明の説明に基礎にして他の変形も容易く可能である。
【０１２４】
さらに他の変形でアドレス電極Ｘ1〜Ｘｎを複数のアドレス電極群に区分することも可能である。しかし、この時、各電極群には他の個数のアドレス電極が提供されうる。例えば、走査電極Ｙに印加される走査信号の印加時点を‘ｔｓ’と仮定する時、例えばアドレス電極Ｘ1には時点ｔｓ＋Δtでデータ信号を印加して、アドレス電極Ｘ２〜 Ｘ１０にはｔｓ＋３Δtでデータ信号を印加して、アドレス電極Ｘ1１〜Ｘｎにはｔｓ＋４Δtでデータ信号を印加するのが可能である。
【０１２５】
図１８は本発明の他の実施例によるプラズマディスプレイパネルの駆動方法を説明するためのデータ信号の印加時点を示す図面である。データ信号はアドレス区間でアドレス電極Ｘ1〜Ｘｎで互いに異なる時点（t０〜ｔｎ）でそれぞれ印加される。電極の配置順番に合わせて、例えば電極Ｘ1には時点t０にデータ信号が印加されて、電極Ｘ２には時点t０＋Δtにデータ信号が印加されて、電極Ｘｎにはt０＋（ｎ−１）Δtにデータ信号が印加される。例えば、各Ｘ電極群に印加されるデータ信号の印加時点中、ｍ（１≦ｍ≦Ｎ−１）番目データ信号の印加時点をｔｍとして、ｍ＋１番目データ信号の印加時点をt（ｍ＋１）として印加時点の間の時間差をΔtとする時、このΔtは所定の値に維持される。
【０１２６】
一方、各印加時点間の時間差Δtをそれぞれ異ならせることもできる。前述されたところの同じく、データ信号の印加時点中、ｍ（１≦ｍ≦Ｎ−１）番目データ信号の印加時点をｔｍとして、ｍ＋１番目データ信号の印加時点をt（ｍ＋１）として、印加時点の間の時間差をΔtとする時、この印加時点の差Δtは少なくとも二つの以上の値を持つことができる。すなわち、電極Ｘ1に１０ナノ秒（ｎｓ）の時点でデータ信号が印加されて、電極Ｘ２には２０ナノ秒（ｎｓ）の時点でデータ信号が印加されて、電極Ｘ３には４０ナノ秒（ｎｓ）の時点でデータ信号が印加されることもできる。
【０１２７】
各データ信号の印加時点の間の時間差Δtは１０ナノ秒（ｎｓ）以上、１０００ナノ秒（ｎｓ）以下に設定されることが望ましい。また、プラズマディスプレイパネルの駆動による走査信号幅を考慮すれば、Δtは所定走査信号幅の１／１００倍以上、１倍以下の範囲内に設定されることが望ましい。例えば、走査信号の幅が１ｕｓ（マイクロ秒）と仮定すれば、信号印加時点の間の時間差Δtは１ｕｓ（マイクロ秒）の１／１００倍、すなわち、１０ナノ秒（ｎｓ）以上、１ｕｓ（マイクロ秒）の１倍、すなわち、１０００ナノ秒（ｎｓ）以下、すなわち、（１０ｎｓ≦Δt≦１０００ｎｓ）でなければならない。
【０１２８】
このようにアドレス区間で各データ信号の印加時点を異なるようにすれば、データ信号の各印加時点でパネルの静電容量を通じてカップリングを減少させることができるし、それによって走査電極Ｙ及び維持電極Ｚに印加される波形のノイズを大きく減少させることができる。
【０１２９】
図１８に示す実施例は、すべての電極Ｘ1〜Ｘｎに互いに異なる時点（t０〜ｔｎ）にデータ信号がそれぞれ印加されることを提案したものだが、これとは異なって、データ信号のうち少なくとも１つは少なくとも２個の電極や（ｎ−１）個未満の電極と同じ時点で印加されるようにすることも可能であり、これは図１９に図示されている。
【０１３０】
図１９に示すように、プラズマディスプレイパネル８３のアドレス電極Ｘ1〜Ｘｎを、Ｘａ電極群（Ｘａ１〜Ｘａ（ｎ）／４）８４、Ｘｂ電極群（Ｘｂ（ｎ／４＋１）〜Ｘｂ（２n／４））８５、Ｘｃ電極群（Ｘｃ（２n／４＋１）〜Ｘｃ（３n）／４）８６及びＸｄ電極群（Ｘｄ（３n／４＋１）〜Ｘｄ（ｎ））８７に区分して、このように区分した各アドレス電極群のうち少なくとも１つのアドレス電極群は他のアドレス電極群と異なる時点でデータ信号を印加する。例えば、Ｘａ電極群８４に属する電極（Ｘａ１〜Ｘａ（ｎ）／４）全部には同じ時点でデータ信号を印加して、残り他の電極群８５、８６、８７に属する電極にはＸａ電極群８４に属する電極（Ｘａ１〜Ｘａ（ｎ）／４）のデータ信号印加時点と異なる時点でデータ信号を印加する。
【０１３１】
図１４と同じく、各アドレス電極群Ｘに含まれたアドレス電極の個数は同じようにしたが、アドレス電極群の数とアドレス電極の個数を互いに異なるように設定することも可能である。実際、アドレス電極群の個数（ｎ）は最小２個以上、アドレス電極の総数（ｎ）より小さな範囲、すなわち、２≦Ｎ≦（ｎ−１）個の間に設定されることが望ましい。
【０１３２】
望ましくは、アドレス電極群の個数は３個以上、５個以下（３≦Ｎ≦５）に設定されることが望ましいが、これは実際プラズマディスプレイパネル駆動の時、データ信号を印加するための回路具現、駆動制御、動作の中もなどの適切な範囲を考慮して限定されたのである。よって、１つの電極群に含まれるデータ電極の個数はVGA（Video Graphics Arra y）、XGA（Extended Video Graphics Array）、HDTV（High Definition Television）標準による画質を考慮して１００個以上１０００個以下（１００≦Ｎ≦１０００）が適切で、もっと望ましくは２００個以上５００個以下（２００≦Ｎ≦５００）がより適切である。
【０１３３】
図１９はデータドライバーＩＣ、走査ドライバーＩＣ及び維持ボードがそれぞれパネル８３とそれぞれ所定の距離位離れた状態でアドレス電極Ｘ、Ｙ、Ｚに繋がれているパネル８３の構造を図示しているが、この構造は便宜上導入したもので実際ではデータドライバーＩＣ、走査ドライバーＩＣ及び維持ボードはパネル８３と結合されることができる。
【０１３４】
図２０はプラズマディスプレイパネルの電極群分割によってデータ信号の印加時点を示す図面である。同じ電極群（Ｘａ電極群、Ｘｂ電極群、Ｘｃ電極群及びＸｄ電極群中の１つ）に属する電極に印加されるデータ信号の印加時点は皆同じで、互いに異なる電極群に属するＸ電極の間のデータ信号印加時点は互いに異なる。
【０１３５】
例えば、アドレス電極群の配置順番によって、Ｘａ電極群に属するアドレス電極（Ｘａ１〜Ｘａ（ｎ）／４）には、例えば時点t０で同時にデータ信号が印加されて、Ｘｂ電極群に属するアドレス電極（Ｘｂ（ｎ／４＋１）〜Ｘｂ（２n）／４）にはすべて時点t０＋Δtで同時にデータ信号が印加されて、Ｘｃ電極群に属するアドレス電極（Ｘｃ（２n／４＋１）〜Ｘｃ（３n）／４）にはすべてt０＋２Δtで同時にデータ信号が印加されて、Ｘｄ電極群に属するアドレス電極（Ｘｄ（３n／４＋１）〜Ｘｄ（ｎ））にはすべてt０＋３Δtで同時にデータ信号が印加される。
【０１３６】
各Ｘ電極群毎に印加されるデータ信号の印加時点中、ｍ（１≦ｍ≦Ｎ−１）番目データ信号の印加時点をｔｍとして、ｍ＋１番目データ信号の印加時点をt（ｍ＋１）として、印加時点の間の時間差をΔtとする時、この印加時点の時間差Δtは所定の値に維持される。すなわち、２個の（時間的に）連続される印加時点間の時間差、この例ではｔｍとt（ｍ＋１）の時間差はｔｍ−t（ｍ＋１）＝Δｔ＝所定の値である。
【０１３７】
一方、各印加時点の間の時間差Δtをまた異ならせることもできる。前述されたところの同じく、データ信号の印加時点中、ｍ（１≦ｍ≦Ｎ−１）番目データ信号の印加時点をｔｍとして、ｍ＋１番目データ信号の印加時点をt（ｍ＋１）として、印加時点の間の時間差をΔtとすれば、この場合、この印加時点の間の時間差Δtは少なくとも二つの以上の値を持つことができる。すなわち、Ｘａ電極群に１０ナノ秒（ｎｓ）の時点でデータ信号が印加されて、Ｘｂ電極群には２０ナノ秒（ｎｓ）の時点でデータ信号が印加されて、Ｘｄ電極群には４０ナノ秒（ｎｓ）の時点でデータ信号が印加される。ここで各データ信号の印加時点の時間差Δtは１０ナノ秒（ｎｓ）以上、１０００ナノ秒（ｎｓ）以下の範囲にあることが望ましい。また、プラズマディスプレイパネルの駆動による走査信号幅を考慮すれば、Δtは所定走査信号幅の１／１００倍以上、１倍以下の範囲内に設定されることが望ましい。
【０１３８】
図２１は本発明の第２実施例によるプラズマディスプレイパネルの駆動波形によって減少されるノイズを概略的に説明するための図面である。Ｙ電極とＺ電極に印加される波形でノイズが相当な部分減少されている。このノイズはアドレス電極Ｘ1〜Ｘｎに同じ時点でデータ信号を印加しないで、４個の電極群にそれぞれ異なる時点でデータ信号を印加したから減少されたのである。すなわち、データ信号を４個の電極群に互いに異なる時点で印加することで、各時点でパネルの静電容量（Capacitance）を通じてカップリング（Coupling）が減少されたのである。
【０１３９】
データ信号が急上昇する時点では{すなわち、データ信号が立ち上がるエッジ（edge）では}Ｙ電極とＺ電極に印加される波形に発生される立ち上がりノイズを減少させて、同じくデータ信号が急下降する時点（すなわち、データ信号が下降するエッジ）では、Ｙ電極とＺ電極に印加される波形に発生される立ち下がりノイズをまた減少させる。これによってアドレス区間で起きるアドレス放電を安定するようにしてプラズマディスプレイパネルの駆動效率を進めることができる。
【０１４０】
以上、前述したように、この技術分野に熟練された者なら本発明の技術的思想と範囲を脱しなくても他の具体的な形態で本発明を実施することができる。例えば、前述された実施例ではすべての電極Ｘ1〜Ｘｎに互いに異なる時点でデータ信号を印加するか、すべてのアドレス電極を配置順番によって同じアドレス電極の個数を持つ４個の電極群で分けて各電極群毎に互いに異なる時点でデータ信号を印加する２個の方法を例示した。しかし、これら方法とは異なって、すべての電極Ｘ1〜Ｘｎ中で奇数番目アドレス電極を１つの電極群に設定して、偶数番目アドレス電極を他の１つの電極群に設定して同じ電極群内のすべてのアドレス電極には同じ時点でデータ信号を印加して、各電極群のデータ信号印加時点を互いに異なるように設定する方法も可能である。
【０１４１】
さらに他の変形例はアドレス電極Ｘ1〜Ｘｎを複数の電極群で分けることも可能である。しかし、この場合各電極群には互いに異なる個数のアドレス電極が提供される。例えば、アドレス電極Ｘ1には時点t０でデータ信号を印加して、アドレス電極Ｘ２〜Ｘ１０にはt０＋Δtでデータ信号を印加して、アドレス電極Ｘ１１〜Ｘｎにはt０＋２Δtでデータ信号を印加することができる。
【０１４２】
さらに、本発明の第２実施例によるプラズマディスプレイパネルの駆動方法で図面には図示されていないが、リセット期間以前に予備リセット期間が含まれる。このような予備リセット期間に印加される駆動波形に関しては、前述した本発明の第１実施例によるプラズマディスプレイパネルの駆動方法に示す駆動波形と等しいものでこれに関する説明は略する。
【０１４３】
前述された実施例と利点は単純に例示的なことで本発明を制限することと解釈されてはならない。本発明の内容は他のタイプの装置にも容易く適用することができる。本発明の説明は例示的で請求項の範囲を制限するために意図されたものではない。この技術分野に熟練された者なら多くの他の代案、変形、及び変更ができる。請求範囲で、機能式手段は言及された機能を遂行する本明細書に記述された構造を含むが、これと構造的に均等な要素だけでなく均等な構造を含むことに意図される。
【図面の簡単な説明】
【０１４４】
【図１】プラズマディスプレイパネルによって遂行される画像階調処理方法を概略的に図示する図面である。
【図２】プラズマディスプレイパネルの駆動波形を図示する図面である。
【図３】プラズマディスプレイパネルの駆動方法によってアドレス期間に印加される信号の印加時点を概略的に図示する図面である。
【図４】プラズマディスプレイパネルの駆動方法によってアドレス期間中に印加される信号によるノイズの発生を説明する図面である。
【図５】駆動波形によって駆動されるプラズマディスプレイパネルでの高温誤放電を説明する図面である。
【図６】駆動波形によって駆動されるプラズマディスプレイパネルでの低温誤放電を説明する図面である。
【図７】プラズマディスプレイパネルの構造を図示する図面である。
【図８】プラズマディスプレイパネルと駆動モジュールの結合関係を概略的に図示する図面である。
【図９】本発明の一実施例によるプラズマディスプレイパネルの駆動方法を説明するための駆動波形を示す図面である。
【図１０Ａ】図１０Ａないし図１０Ｇは、本発明の実施例によるプラズマディスプレイパネルの駆動波形で走査信号の印加時点とデータ信号の印加時点を示す図面である。
【図１０Ｂ】本発明の実施例によるプラズマディスプレイパネルの駆動波形で走査信号の印加時点とデータ信号の印加時点を示す図面である。
【図１０Ｃ】本発明の実施例によるプラズマディスプレイパネルの駆動波形で走査信号の印加時点とデータ信号の印加時点を示す図面である。
【図１０Ｄ】本発明の実施例によるプラズマディスプレイパネルの駆動波形で走査信号の印加時点とデータ信号の印加時点を示す図面である。
【図１０Ｅ】本発明の実施例によるプラズマディスプレイパネルの駆動波形で走査信号の印加時点とデータ信号の印加時点を示す図面である。
【図１０Ｆ】本発明の実施例によるプラズマディスプレイパネルの駆動波形で走査信号の印加時点とデータ信号の印加時点を示す図面である。
【図１０Ｇ】本発明の実施例によるプラズマディスプレイパネルの駆動波形で走査信号の印加時点とデータ信号の印加時点を示す図面である。
【図１１Ａ】本発明の実施例によるプラズマディスプレイパネルの駆動波形によって減少されるノイズを概略的に説明する図面である。
【図１１Ｂ】本発明の実施例によるプラズマディスプレイパネルの駆動波形によって減少されるノイズを概略的に説明する図面である。
【図１２】本発明の他の実施例によるプラズマディスプレイパネルの駆動方法を説明するための駆動波形の他の例を示す図面である。
【図１３】図１２の駆動波形によって変化される空間電荷を説明するための図面である。
【図１４】本発明の他の実施例によるプラズマディスプレイパネルに用いるために電極群分割による駆動方法を説明するための説明図である。
【図１５Ａ】本発明の実施例によるプラズマディスプレイパネルの電極群分割によって走査信号の印加時点とデータ信号の印加時点を示す図面である。
【図１５Ｂ】本発明の実施例によるプラズマディスプレイパネルの電極群分割によって走査信号の印加時点とデータ信号の印加時点を示す図面である。
【図１５Ｃ】本発明の実施例によるプラズマディスプレイパネルの電極群分割によって走査信号の印加時点とデータ信号の印加時点を示す図面である。
【図１６】本発明の実施例によるプラズマディスプレイパネルの駆動方法を説明するための駆動波形のさらに他の例を示す図面である。
【図１７Ａ】図１６の駆動波形をさらに詳しく概略的に説明するための図面である。
【図１７Ｂ】図１６の駆動波形をさらに詳しく概略的に説明するための図面である。
【図１７Ｃ】図１６の駆動波形をさらに詳しく概略的に説明するための図面である。
【図１８】本発明の他の実施例によるプラズマディスプレイパネルの駆動方法を説明するためのデータ信号の印加時点を示す図面である。
【図１９】本発明の他の実施例によるプラズマディスプレイパネルに用いるための電極群分割による駆動方法を説明するための図面である。
【図２０】本発明の他の実施例によるプラズマディスプレイパネルの電極群分割によってデータ信号の印加時点を示す図面である。
【図２１】本発明の他の実施例によるプラズマディスプレイパネルの駆動波形によって減少されるノイズを概略的に説明するための図面である。
【図１】
2006146231.tif 000003
【図２】
2006146231.tif 000004
【図３】
2006146231.tif 000005
【図４】
2006146231.tif 000006
【図５】
2006146231.tif 000007
【図６】
2006146231.tif 000008
【図７】
2006146231.tif 000009
【図８】
2006146231.tif 000010
【図９】
2006146231.tif 000011
【図１０Ａ】
2006146231.tif 000012
【図１０Ｂ】
2006146231.tif 000013
【図１０Ｃ】
2006146231.tif 000014
【図１０Ｄ】
2006146231.tif 000015
【図１０Ｅ】
2006146231.tif 000016
【図１０Ｆ】
2006146231.tif 000017
【図１０Ｇ】
2006146231.tif 000018
【図１１Ａ】
2006146231.tif 000019
【図１１Ｂ】
2006146231.tif 000020
【図１２】
2006146231.tif 000021
【図１３】
2006146231.tif 000022
【図１４】
2006146231.tif 000023
【図１５Ａ】
2006146231.tif 000024
【図１５Ｂ】
2006146231.tif 000025
【図１５Ｃ】
2006146231.tif 000026
【図１６】
2006146231.tif 000027
【図１７Ａ】
2006146231.tif 000028
【図１７Ｂ】
2006146231.tif 000029
【図１７Ｃ】
2006146231.tif 000030
【図１８】
2006146231.tif 000031
【図１９】
2006146231.tif 000032
【図２０】
2006146231.tif 000033
【図２１】
2006146231.tif 000034